(57)【特許請求の範囲】
【請求項１】
収納部を上下に開放して形成したケース本体（２）の後端部に、ケース蓋（１１）を開閉回動自在に蝶番結合し、前記ケース本体（２）とケース蓋（１１）の先端部に、閉状態を達成保持する開閉係止機能部（Ｌ）を設けたケース（１）と、前記ケース本体（２）の収納部に着脱自在に嵌装組付きし、化粧料（Ｋ）を収納するレフィール本体（１８）の一側端部に、該レフィール本体（１８）に係脱するレフィール蓋（２９）をヒンジ（３４）により一体結合したレフィール容器（１７）と、から構成し、前記レフィール蓋（２９）のヒンジ（３４）とは反対側端部の前後方向略中央部に引っ掛かり片（３３）を立設し、前記ケース蓋（１１）の側端部に、閉状態で前記引っ掛かり片（３３）を乗り越えて下方から係止可能に対向する引っ掛け片（１５）を設け、前記ケース本体（２）の内周面およびレフィール容器（１７）の前端部分に、前記ケース本体（２）側の外れ防止係止突片（１０）と、該外れ防止係止突片（１０）が係止するレフィール容器（１７）側の外れ防止凹部（２３）との組合せで構成された外れ防止係止機能部（Ｎ）を設けて成るコンパクト容器。
【発明の詳細な説明】
【０００１】
【発明の属する技術分野】
本発明は、化粧料を密に開閉収納した小容器であるレフィ−ル容器を、ケ−スにカセット状に着脱自在に組付けて携帯使用するコンパクト容器に関するものである。
【０００２】
【従来の技術】
開閉蓋としての中蓋を有する中皿としてのレフィ−ル容器を、外ケ−スとしての化粧料容器にカセット状に着脱自在に組付けて構成されたコンパクト容器の従来技術の代表例として、特開平０９−０９８８２９号公報に開示されたものが知られている。
【０００３】
この従来技術に示されたコンパクト容器は、容器本体と蓋体とを開閉回動自在に蝶番結合したケ−スの容器本体内を、隔成壁により左右に、レフィ−ル容器を着脱自在に収納する着脱収納部と、化粧具収納部とに区画し、コンパクト容器全体の厚みをできる限り小さくすることができるように、脱着収納部を底壁のない筒構造に構成しており、レフィ−ル容器の蝶番部分を、容器本体の側壁に形成された切欠部に臨ませ、このレフィ−ル容器の蝶番部分を操作してレフィ−ル容器の着脱を行うようにすることにより、レフィ−ル容器の安全で円滑な着脱処理を得ることができるようにしている。
【０００４】
【発明が解決しようとする課題】
しかしながら、上記した従来技術にあっては、レフィ−ル容器内の化粧料を使用する際に、まずケ−スの蓋体の開放操作を行い、次いでレフィ−ル容器の蓋体を、レフィ−ル本体との係止を解除しながら開放操作しなければならないため、開蓋操作が二度手間になり使い勝手が悪い、と云う問題があった。
【０００５】
そこで、本発明は、上記した従来技術における問題点を解消すべく創案されたもので、一度の開蓋操作で、ケ−スの蓋体とレフィ−ル容器の蓋体とが同時に開放されるようにすることを技術的課題とし、もってレフィ−ル容器を着脱自在に組付けたコンパクト容器の開蓋操作を容易化することを目的とする。
【０００６】
【課題を解決するための手段】
上記技術的課題を解決する本発明の手段は、
収納部を上下に開放して形成したケース本体の後端部に、ケース蓋を開閉回動自在に螺合結合すると共に、ケース本体とケース蓋の先端部に、閉状態を達成保持する開閉係止機能部を設けたケースと、ケース本体の収納部に着脱自在に嵌装組付きし、化粧料を収納するレフィール本体の一側端部に、このレフィール本体に係脱するレフィール蓋をヒンジにより一体結合したレフィール容器と、から構成すること、
レフィール蓋のヒンジとは反対側端部の前後方向略中央部に引っ掛かり片を立設すること、
ケース蓋の側端部に、閉状態で引っ掛かり片を乗り越えて下方から係止可能に対向する引っ掛け片を設けること、
ケース本体の内周面およびレフィール容器の前端部分に、ケース本体側の外れ防止係止突片と、この外れ防止係止突片が係止するレフィール容器側の外れ防止凹部との組合せて構成された外れ防止係止機能部を設けること、
にある。
【０００７】
レフィ−ル蓋のヒンジとは反対側の端部に引っ掛かり片を立設し、ケ−ス蓋の側端部に、閉状態で引っ掛かり片を乗り越えて下方から係止可能に対向する引っ掛け片を設けたので、ケ−ス蓋を開放回動させると、このケ−ス蓋の引っ掛け片が引っ掛かり片に下方から引っ掛かって上方に引き上げるため、ケ−ス蓋の開放と一緒にレフィ−ル蓋の開放が同時に達成されることになる。
【０００８】
引っ掛かり片および引っ掛け片を、それぞれレフィ−ル蓋のおよびケ−ス蓋の側端部の前後方向略中央部に設けたので、ケ−ス蓋の開放操作によるレフィ−ル蓋の開放を、確実に、かつ適度の操作力で達成することができる。
【０００９】
すなわち、引っ掛かり片および引っ掛け片を、コンパクト容器の後方（ケ−スの蝶番寄り）に設けると、引っ掛かり片に対する引っ掛け片の引っ掛かり量が小さくなってフック外れを起し、レフィ−ル蓋の開放が達成されなくなるおそれがあり、またコンパクト容器の前方（ケ−スの開閉係止機能部寄り）に設けると、作用点が支点（蝶番）から遠くなるため、大きな開放操作力を要することになるが、本発明の構成によれば、作用点が力点と支点の略中間に位置するため、上記引っ掛かりが確実に達成されると共に、適度の開放操作力でケ−ス蓋とレフィ−ル蓋との開放を同時に達成することができる。
【００１０】
【発明の実施の形態】
以下、本発明の実施例を、図面を参照しながら説明する。
本発明のコンパクト容器は、化粧料Ｋを開閉自在に、かつ塗布使用し易い状態で密に収納保持するレフィ−ル容器１７を、鏡１６を有するケ−ス１に着脱自在（図１参照）に組合せて構成され、ケ−ス１は、レフィ−ル容器１７を着脱自在に組付けるケ−ス本体２とケ−ス蓋１１とを蝶番結合して構成され、レフィ−ル容器１７は、レフィ−ル本体１８とレフィ−ル蓋２９とを、一体にヒンジ結合して構成されている。
【００１１】
ケ−ス１のケ−ス本体２は、上下に開放した中央空間部をレフィ−ル容器１７の収納部としたリング構造をしており、内周面下端に、組付けたレフィ−ル容器１７の下方への抜け出しを阻止する底内鍔片３を周設し、前端部に開閉係止機能部Ｌの開閉用凹部４を、後端部に蝶番凹部７を、そして左右両側部上面にレフィ−ル容器１７組付け用に装着用欠部８を設け、さらに内周面に、組付き係止機能部Ｍの組付け係止片９を、斜め左右前後の四箇所に、平面形状の中心点に関して点対称に配置すると共に、外れ防止係止機能部Ｎの外れ防止係止突片１０を、組付け係止片９よりも前側の二箇所に左右対称に配置して設けて構成されている。
【００１２】
ケ−ス１のケ−ス蓋１１は、全体形状が伏した薄皿構造をしていて、前端部に開閉係止機能部Ｌの開閉係止片１２を、また後端部に蝶番片１３をそれぞれ垂下設し、貼着固定した鏡１６を避けた内面箇所に四つの押圧突片１４を、中心点に関して点対称に垂下設し、また左右両側端に引っ掛け片１５を左右対称に垂下設して構成されている。
【００１３】
レフィ−ル容器１７のレフィ−ル本体１８は、レフィ−ル底体２４および内容器２６との組合せにより化粧料Ｋの収納部を構成し、レフィ−ル本体１８とレフィ−ル底体２４との組合せ物の外周面には、組付き係止機能部Ｍの組付き係止片２２を、斜め前後左右の四箇所に、中心点に関して点対称に設け、また外れ防止係止機能部Ｎの外れ防止凹部２３を、前後端部の左右端の四箇所に、中心点に関して点対称に設けており、ヒンジ３４を装着用欠部８内に位置させた状態で、レフィ−ル底体２４の下面周端部をケ−ス本体２の底内鍔片３に上方から係止させることにより、ケ−ス本体２の収納部に下方へ抜け出し不能に嵌入組付きする。
【００１４】
このレフィ−ル本体１８は、図７に示すように、リング状をした本体部分の上面内周端から口鍔筒片１９を立設すると共に、この口鍔筒片１９の外側に係止筒片２０を立設し、また本体部分の下面に嵌合筒片２１を垂下設して構成され、嵌合筒片２１と強固に嵌合する嵌着筒片２５（図示実施例の場合、嵌合筒片２１を間に強固に嵌合させる二重筒構造となっている）を平板体の上面周端に立設したレフィ−ル底体２４との組付きにより、有頂短筒状に構成されたシ−ト製の内容器２６の筒壁下端部を、嵌合筒片２１と嵌着筒片２５との間に強固に挟持し、この内容器２６の挟持組付けにより、内容器２６とレフィ−ル底体２４との組合せ物内に化粧料Ｋを収容した状態で組立てられる。
【００１５】
レフィ−ル容器１７のレフィ−ル蓋２９は、平板状本体部分の周端縁に、レフィ−ル本体１８の係止筒片２０に外嵌係合する係合筒片３１を、またこの係合筒片３１の内側の下面部分に、レフィ−ル本体１８の口鍔筒片１９に密嵌合するシ−ル筒片３０をそれぞれ垂下設し、さらに係合筒片３１の一部を上方に延長させた形態で、四つの受け突片３２（図１および図９参照）を、押圧突片１４に対向して起立設し、引っ掛かり片３３（図１および図７参照）を、ヒンジ３４とは反対の側端部に起立設して構成され、係合筒片３１の側端下端部をレフィ−ル本体１８にヒンジ３４（図７参照）で一体結合して構成されている。
【００１６】
レフィ−ル蓋２９は、シ−ル筒片３０をレフィ−ル本体１８の口鍔筒片１９に密嵌合させることにより、レフィ−ル本体１８の開口部を密閉するが、このシ−ル筒片３０の口鍔筒片１９への密嵌合は、レフィ−ル本体１８の係止筒片２０とレフィ−ル蓋２９の係合筒片３１との嵌合組付きを、両側方部（一方側部にヒンジ２９が位置している、図７参照）と前後両部とを係止させることにより維持して確保され、この係止筒片２０と係止筒片３１との係止は、四つの係止部の間に位置する受け突片３２に対するケ−ス蓋１１の押圧突片１４の押圧により確保される。
【００１７】
レフィ−ル蓋２９の引っ掛かり片３３は、ヒンジ３４とは反対の側方箇所に位置しているので、ケ−ス１の閉状態では、ケ−ス蓋１１の引っ掛け片１５が下方から対向し、ケ−ス蓋１１を開放回動させると、このケ−ス蓋１１の引っ掛け片１５が引っ掛かり片３３に下方から引っ掛かって上方に引き上げるので、ケ−ス蓋１１の開放と一緒にレフィ−ル容器１７の開放が達成されることになるが、この動作は、引っ掛け片１５が左右両側に対称に設けられていることから、ケ−スに対するレフィ−ル容器１７の組付け姿勢を左右反転させても同じとなる。
【００１８】
蝶番凹部７に蝶番片１３を嵌合させて蝶番軸により蝶番結合されたケ−ス本体２とケ−ス蓋１１の先端間に形成された開閉係止機能部Ｌ（図１参照）は、ケ−ス本体２の前端部に形成した開閉用凹部４の底面に設けた係止突片５と、ケ−ス蓋１１の前端部に垂下状に設けた開閉係止片１２を主体として構成され、開閉用凹部４内に前後変位可能に組付けられた開閉駒片６の、押圧されることによる後退変位を利用して、係止突片５と開閉係止片１２との係止を解除するようにしている。
【００１９】
レフィ−ル容器１７は、レフィ−ル本体１８に対するレフィ−ル底体２４の嵌合組付けにより、内容器２６の組付けと同時に化粧料Ｋの収納を達成するが、化粧料Ｋを直接収納している内容器２６の多数の注出スリットを開設した頂壁部分には、化粧料Ｋの注出形態を適正に制御するメッシュ体２７が設けられており、さらに口鍔筒片１９の上周面には、化粧料Ｋの密封収納を強固にかつ確実に達成するための剥離自在な密封シ−ト２８が取付けられている。
【００２０】
化粧料Ｋを収納したレフィ−ル容器１７は、その引っ掛かり片３３およびヒンジ３４を装着用欠部８に対向させた姿勢で、組付き係止機能部Ｍによりケ−ス本体２に組付け保持される。
【００２１】
組付き係止機能部Ｍは、ケ−ス本体２の内周面に突片状に設けられた組付け係止片９と、レフィ−ル本体１８の外周面に形成された舌片の外面下端に突設された組付き係止片２２との組合せで構成され（図８参照）、この組合せを斜め前後左右の四箇所（図２参照）に、中心点に関して点対称に配置して構成し、これによりケ−ス１に対するレフィ−ル容器１７の組付けを左右反転させても、組付き係止片２２は必ず組付け係止片９と対向係止して、ケ−ス本体２に対するレフィ−ル容器１７の反転組付きを確保する。
【００２２】
外れ防止係止機能部Ｎは、ケ−ス本体２の内周面の前端部分の左右に突設された二つの外れ防止係止突片１０と、レフィ−ル容器１７の前後両端部分の左右に位置し、レフィ−ル本体１８とレフィ−ル底体２４との組合せ境界部分に形成された四つの外れ防止凹部２３との組合せで構成（図９参照）されるが、四つの外れ防止凹部２３は、前方に位置した二つだけが機能する。
【００２３】
ケ−ス本体２の装着用欠部８は左右対称に設けられており、また組付き係止機能部Ｍは、中心点に関して点対称に配置され、さらに外れ防止係止機能部Ｎの外れ防止凹部２３が、レフィ−ル容器１７の前後の対称位置に設けられているので、またさらに引っ掛け片１５を左右に一対設けているので（図７参照）、ケ−ス１に対するレフィ−ル容器１７の組付けは、左右を反転させても可能であり、これによりケ−ス１に対するレフィ−ル容器１７も組付け姿勢を、取扱いの容易な一方に選択設定することができる。
【００２４】
なお、コンパクト容器の閉姿勢状態で、ケ−ス蓋１１の押圧突片１４との突き当たりにより、ケ−ス１の開閉係止機能部Ｌの閉鎖保持力を利用してレフィ−ル容器１７の閉状態を確保する受け突片３２は、ケ−ス蓋１１とレフィ−ル蓋２９との間に、パフＰを安定して収納できるパフ収納部を形成している。
【００２５】
【発明の効果】
本発明は、上記した構成となっているので、以下に示す効果を奏する。
レフィ−ル蓋のヒンジとは反対側の端部に引っ掛かり片を立設し、ケ−ス蓋の側端部に、閉状態で引っ掛かり片を乗り越えて下方から係止可能に対向する引っ掛け片を設けたので、ケ−ス蓋を開放回動させると、このケ−ス蓋の引っ掛け片が引っ掛かり片に下方から引っ掛かって上方に引き上げるため、ケ−ス蓋の開放と一緒にレフィ−ル蓋が開放され、一度の開蓋操作でケ−ス蓋とレフィ−ル蓋とを同時に開放することができる。
【００２６】
また、引っ掛かり片および引っ掛け片を、それぞれレフィ−ル蓋およびケ−ス蓋の側端部の前後方向略中央部に設けたことにより、引っ掛かりの作用点が力点と支点の略中間の位置するため、この引っ掛かり、すなわちレフィ−ル蓋の開放が確実に達成されると共に、適度の開放操作力でケ−ス蓋とレフィ−ル蓋との開放を同時に達成することができ、もってレフィ−ル容器を着脱自在に組付けたコンパクト容器の開蓋操作を容易化することができる。
【図面の簡単な説明】
【図１】  本発明の一実施形態の分離させた状態での、全体斜面図。
【図２】  図１に示した実施形態の、ケ−ス開放状態での全体平面図。
【図３】  図１に示した実施形態の、ケ−ス単体の開放状態での全体平面図。
【図４】  図１に示した実施形態の、レフィ−ル容器の全体正面図。
【図５】  図１に示した実施形態の、レフィ−ル容器の開放方向を一方に設定した全体開放平面図。
【図６】  図１に示した実施形態の、レフィ−ル容器の開放方向を他方に設定した全体開放平面図。
【図７】  図１に示した実施形態の、開状態での全体縦断正面図。
【図８】  図２中Ａ−Ａ線に沿って切断矢視した閉状態での、部分縦断面図。
【図９】  図２中Ｂ−Ｂ線に沿って切断矢視した閉状態での、部分縦断面図。
【符号の説明】
１  ；  ケ−ス
２  ；  ケ−ス本体
３  ；  底内鍔片
４  ；  開閉用凹部
５  ；  係止突片
６  ；  開放駒片
７  ；  蝶番凹部
８  ；  装着用欠部
９  ；  組付け係止片
１０；  外れ防止係止突片
１１；  ケ−ス蓋
１２；  開閉係止片
１３；  蝶番片
１４；  押圧突片
１５；  引っ掛け片
１６；  鏡
１７；  レフィ−ル容器
１８；  レフィ−ル本体
１９；  口鍔筒片
２０；  係止筒片
２１；  嵌合筒片
２２；  組付き係止片
２３；  外れ防止凹部
２４；  レフィ−ル底体
２５；  嵌着筒片
２６；  内容器
２７；  メッシュ体
２８；  密封シ−ト
２９；  レフィ−ル蓋
３０；  シ−ル筒片
３１；  係合筒片
３２；  受け突片
３３；  引っ掛かり片
３４；  ヒンジ
Ｋ  ；  化粧料
Ｐ  ；  パフ
Ｌ  ；  開閉係止機能部
Ｍ  ；  組付き係止機能部
Ｎ  ；  外れ防止係止機能部
【図１】
0004415400.tif 000002
【図２】
0004415400.tif 000003
【図３】
0004415400.tif 000004
【図４】
0004415400.tif 000005
【図５】
0004415400.tif 000006
【図６】
0004415400.tif 000007
【図７】
0004415400.tif 000008
【図８】
0004415400.tif 000009
【図９】
0004415400.tif 000010